(57)【要約】      （修正有）【課題】筐体と一体化した脆性部が筐体内の重量部による衝撃で破損することを防止する携帯型装置を提供する。【解決手段】携帯型テープ印字装置について、ＬＣＤパネル３を取り付けた上部筐体２ａが下となって落ちるケースでは、床などに上部筐体２ａが突き当たると、カッターユニットが重量物のため、内部フレーム４の面上に沿って、カッターフレーム１１ａ等はＬＣＤパネル３がある下に向かって慣性移動する。カッターフレーム１１ａ等の慣性移動は、内部フレーム４に一体成型された一対の衝撃受止部６，７に止められる。このとき、内部フレーム４は下に向かって反る。しかしながら、内部フレーム４の反りは、内部フレーム４に一体成型された反り抑制部８の位置や数に応じてコントロールされる。【選択図】図７
2015107609.tif 000002
【特許請求の範囲】
【請求項１】
開口枠を有する筐体と、
前記筐体の開口枠に接面した縁端を有する脆性部と、
前記脆性部に対向して前記筐体に内設された重量部と、
前記重量部と前記脆性部との間に介装されるとともに前記脆性部の縁端を前記筐体の内側と挟んだ状態で前記筐体内に固設された可撓部と、
前記重量部に向けて前記可撓部から突き出して設けられることによって前記重量部による衝撃を受け止める衝撃受止部と、
前記重量部に向けて前記可撓部から突き出して設けられることによって前記重量部による衝撃を前記衝撃受止部が受け止めた際の前記可撓部の反りを抑制する反り抑制部と、
を備えたこと、を特徴とする携帯型装置。
【請求項２】
請求項１に記載する携帯型装置であって、
前記衝撃受止部の一対を離間して設け、
前記一対の衝撃受止部の間に前記一対の衝撃受止部から離間した前記反り抑制部を設けたこと、を特徴とする携帯型装置。
【請求項３】
請求項１又は請求項２に記載する携帯型装置であって、
前記脆性部がＬＣＤパネルであること、を特徴とする携帯型装置。
【請求項４】
請求項１乃至請求項３のいずれか一つに記載する携帯型装置であって、
前記重量部がカッターユニットであること、を特徴とする携帯型装置。
【請求項５】
請求項１乃至請求項４のいずれか一つに記載する携帯型装置であって、
前記筐体の開口枠の周囲がオーバル形であること、を特徴とする携帯型装置。
【請求項６】
請求項１乃至請求項５のいずれか一つに記載する携帯型装置であって、
当該携帯型装置が携帯型テープ印字装置であること、を特徴とする携帯型装置。
【請求項７】
請求項６に記載する携帯型装置であって、
前記脆性部がＬＣＤパネルであり、
前記可撓部が内部フレームであり、
前記重量部がカッターユニットであること、を特徴とする携帯型装置。
【請求項８】
請求項７に記載する携帯型装置であって、
前記重量部に剛性フレームを含むこと、を特徴とする携帯型装置。
【請求項９】
請求項７又は請求項８に記載する携帯型装置であって、
前記反り抑制部が内部フレームと一体成型されていること、を特徴とする携帯型装置。
【請求項１０】
請求項９に記載する携帯型装置であって、
前記反り抑制部がリブであること、を特徴とする携帯型装置。
【請求項１１】
請求項７乃至請求項１０のいずれか一つに記載する携帯型装置であって、
前記カッターユニットが、カッターフレーム、カッターモータ、及びカッター刃を備えていること、を特徴とする携帯型装置。
【請求項１２】
請求項７乃至請求項１１のいずれか一つに記載する携帯型装置であって、
前記内部フレームがポリスチレンを材料とし、
前記ＬＣＤパネルがアクリル樹脂を材料とすること、を特徴とする携帯型装置。
【請求項１３】
請求項１に記載する携帯型装置であって、
前記一対の衝撃受止部と前記反り抑制部とが連なっていること、を特徴とする携帯型装置。
【請求項１４】
開口枠を有するＡＢＳ樹脂製又はポリスチレン製の筐体と、
前記筐体の開口枠に接面した縁端を有するアクリル樹脂製のＬＣＤパネルと、
前記ＬＣＤパネルに対向して前記筐体に内設されたカッターユニットと、
前記カッターユニットと前記ＬＣＤパネルとの間に介装されるとともに前記ＬＣＤパネルの縁端を前記筐体の内側と挟んだ状態で前記筐体内に固設されたポリスチレン製の内部フレームと、
前記カッターユニットに向けて前記内部フレームから突き出し離間して設けられたポリスチレン製の一対の第一突部と、
前記カッターユニットに向けて前記内部フレームから突き出し前記一対の第一突部から離間して設けられたポリスチレン製の第二突部と、
を備えたこと、を特徴とする携帯型装置。
【発明の詳細な説明】
【技術分野】
【０００１】
本発明は、衝撃が加わった場合の破損防止がなされた携帯型装置に関するものである。
【背景技術】
【０００２】
従来より、印刷装置には、衝撃が加わった場合の破損防止がなされている。例えば、下記特許文献１に記載された印刷装置では、印刷装置を落下させたり固定物にぶつけたりして第一突起から当接部に向かう方向に衝撃が加わった場合に、用紙ロールの慣性により、用紙ホルダの当接部が第一突起と当接する。
【０００３】
もっとも、この時、用紙ロールの軸線方向において、当接部の厚みが、支持部材の厚みより厚く構成されているので、当接部が十分な強度を有しており破損することがない。また、第一突起と当接部が接触することで衝撃が緩和され用紙ホルダや支持部材の破損が防止できる。
【先行技術文献】
【特許文献】
【０００４】
【特許文献１】特開２０１３−９５０４９号公報
【発明の概要】
【発明が解決しようとする課題】
【０００５】
しかしながら、携帯型のテープ印字装置において、フルカットやハーフカットが可能なカッターユニットを搭載している機種では、筐体がハンドヘルドモデルという構造上の制限から、ＬＣＤパネルの真裏にそのカッターユニットが配置されている。
【０００６】
従って、そのような機種の携帯型のテープ印字装置を誤って落下させてしまうと、脆性材料でできたＬＣＤパネルがそのカッターユニットの重量で割れてしまうおそれがあった。
【０００７】
そこで、本発明は、上述した点を鑑みてなされたものであり、筐体と一体化した脆性部が筐体内の重量部による衝撃で破損することを防止する携帯型装置を提供することを課題とする。
【課題を解決するための手段】
【０００８】
この課題を解決するためになされた請求項１に係る発明は、携帯型装置であって、開口枠を有する筐体と、前記筐体の開口枠に接面した縁端を有する脆性部と、前記脆性部に対向して前記筐体に内設された重量部と、前記重量部と前記脆性部との間に介装されるとともに前記脆性部の縁端を前記筐体の内側と挟んだ状態で前記筐体内に固設された可撓部と、前記重量部に向けて前記可撓部から突き出して設けられることによって前記重量部による衝撃を受け止める衝撃受止部と、前記重量部に向けて前記可撓部から突き出して設けられることによって前記重量部による衝撃を前記衝撃受止部が受け止めた際の前記可撓部の反りを抑制する反り抑制部と、を備えたこと、を特徴とする。
【０００９】
また、請求項２に係る発明は、請求項１に記載する携帯型装置であって、前記衝撃受止部の一対を離間して設け、前記一対の衝撃受止部の間に前記一対の衝撃受止部から離間した前記反り抑制部を設けたこと、を特徴とする。
【００１０】
また、請求項３に係る発明は、請求項１又は請求項２に記載する携帯型装置であって、前記脆性部がＬＣＤパネルであること、を特徴とする。
【００１１】
また、請求項４に係る発明は、請求項１乃至請求項３のいずれか一つに記載する携帯型装置であって、前記重量部がカッターユニットであること、を特徴とする。
【００１２】
また、請求項５に係る発明は、請求項１乃至請求項４のいずれか一つに記載する携帯型装置であって、前記筐体の開口枠の周囲がオーバル形であること、を特徴とする。
【００１３】
また、請求項６に係る発明は、請求項１乃至請求項５のいずれか一つに記載する携帯型装置であって、当該携帯型装置が携帯型テープ印字装置であること、を特徴とする。
【００１４】
また、請求項７に係る発明は、請求項６に記載する携帯型装置であって、前記脆性部がＬＣＤパネルであり、前記可撓部が内部フレームであり、前記重量部がカッターユニットであること、を特徴とする。
【００１５】
また、請求項８に係る発明は、請求項７に記載する携帯型装置であって、前記重量部に剛性フレームを含むこと、を特徴とする。
【００１６】
また、請求項９に係る発明は、請求項７又は請求項８に記載する携帯型装置であって、前記反り抑制部が内部フレームと一体成型されていること、を特徴とする。
【００１７】
また、請求項１０に係る発明は、請求項９に記載する携帯型装置であって、前記反り抑制部がリブであること、を特徴とする。
【００１８】
また、請求項１１に係る発明は、請求項７乃至請求項１０のいずれか一つに記載する携帯型装置であって、前記カッターユニットが、カッターフレーム、カッターモータ、及びカッター刃を備えていること、を特徴とする。
【００１９】
また、請求項１２に係る発明は、請求項７乃至請求項１１のいずれか一つに記載する携帯型装置であって、前記内部フレームがポリスチレンを材料とし、前記ＬＣＤパネルがアクリル樹脂を材料とすること、を特徴とする。
【００２０】
また、請求項１３に係る発明は、請求項１に記載する携帯型装置であって、前記一対の衝撃受止部と前記反り抑制部とが連なっていること、を特徴とする。
【００２１】
また、請求項１４に係る発明は、携帯型装置であって、開口枠を有するＡＢＳ樹脂製又はポリスチレン製の筐体と、前記筐体の開口枠に接面した縁端を有するアクリル樹脂製のＬＣＤパネルと、前記ＬＣＤパネルに対向して前記筐体に内設されたカッターユニットと、前記カッターユニットと前記ＬＣＤパネルとの間に介装されるとともに前記ＬＣＤパネルの縁端を前記筐体の内側と挟んだ状態で前記筐体内に固設されたポリスチレン製の内部フレームと、前記カッターユニットに向けて前記内部フレームから突き出し離間して設けられたポリスチレン製の一対の第一突部と、前記カッターユニットに向けて前記内部フレームから突き出し前記一対の第一突部から離間して設けられたポリスチレン製の第二突部と、を備えたこと、を特徴とする。
【発明の効果】
【００２２】
すなわち、本発明の携帯装置では、脆性部に対向した重量部が筐体に内設されている。また、脆性部と重量部の間に可撓部が介装され、可撓部が脆性部の縁端を筐体の内側と挟んだ状態で筐体内に固設されている。また、重量部に向けて衝撃受止部と反り抑制部とが可撓部から突き出して設けられている。さらに、本発明の携帯装置を誤って落下させてしまっても、衝撃受止部が重量部による衝撃を受け止めるとともに、反り抑制部が重量部による衝撃を衝撃受止部が受け止めた際の可撓部の反りを抑制する。従って、可撓部の反りが抑制されることから、可撓部と筐体の内側とに挟まれた状態の脆性部の縁端が壊れたり傷ついたりすることがない。つまり、筐体と一体化した脆性部が筐体内の重量部による衝撃で破損することを防止することができる。
【００２３】
また、本発明の携帯装置では、ＬＣＤパネルに対向したカッターユニットが筐体に内設されている。また、ＬＣＤパネルとカッターユニットの間に内部フレームが介装され、内部フレームがＬＣＤパネルの縁端を筐体の内側と挟んだ状態で筐体内に固設されている。また、カッターユニットに向けて第一突部と第二突部とが内部フレームから突き出して設けられている。さらに、本発明の携帯装置を誤って落下させてしまっても、第一突部がカッターユニットによる衝撃を受け止めるとともに、第二突部がカッターユニットによる衝撃を第一突部が受け止めた際の内部フレームの反りを抑制する。従って、内部フレームの反りが抑制されることから、内部フレームと筐体の内側とに挟まれた状態のＬＣＤパネルの縁端が壊れたり傷ついたりすることがない。つまり、筐体と一体化したＬＣＤパネルが筐体内のカッターユニットによる衝撃で破損することを防止することができる。
【図面の簡単な説明】
【００２４】
【図１】本発明の一実施形態に係る携帯型テープ印字装置の外観を表した斜視図である。
【図２】同携帯型テープ印字装置から上部筐体を外した状態の外観を表した斜視図である。
【図３】同携帯型テープ印字装置の内部フレームを表した斜視図である。
【図４】同携帯型テープ印字装置の内部フレームを表した斜視図である。
【図５】同携帯型テープ印字装置の剛性フレーム等を表した斜視図である。
【図６】同携帯型テープ印字装置において、カッターユニット等の慣性移動が、内部フレームに一体成型された一対の衝撃受止部に止められる場面を表した断面図である。
【図７】同携帯型テープ印字装置において、カッターユニット等の慣性移動が、反り抑制部を有する内部フレームに一体成型された一対の衝撃受止部に止められる場面を表した断面図である。
【発明を実施するための形態】
【００２５】
［１．本発明の外観］
本発明の一実施形態に係る携帯型テープ印字装置について説明する。図１に表されたように、本実施形態に係る携帯型テープ印字装置１は、筐体２やＬＣＤパネル３等を備えている。筐体２には、開口枠Ｗが設けられている。開口枠Ｗには、ＬＣＤパネル３が取り付けられている。開口枠Ｗの周囲の筐体２は、上部筐体２ａである。
【００２６】
本実施形態に係る携帯型テープ印字装置１では、筐体２から上部筐体２ａを外すと、図２に表されたように、ＬＣＤパネル３の縁端３ａが現れる。つまり、ＬＣＤパネル３の縁端３ａは、上部筐体２ａの内側に開口枠Ｗの周囲で面している。
【００２７】
尚、符号４は、後述する内部フレームである。
【００２８】
筐体２の材料は、ＡＢＳ樹脂又はポリスチレンである。上部筐体２ａの材料は、ＡＢＳ樹脂及びエラストマーである。ＬＣＤパネル３の材料は、アクリル樹脂である。従って、上部筐体２ａの開口枠Ｗに取り付けられたＬＣＤパネル３は、通常の使用状態では傷つきにくいが、外力を受けるとあまり変形しないうちに壊れたり傷ついたりする性質がある。
【００２９】
［２．本発明の内部フレーム］
本実施形態に係る携帯型テープ印字装置１は、図３に表された内部フレーム４を有している。内部フレーム４には、上部筐体２ａが取り付けられている。さらに、内部フレーム４には、上部筐体２ａの開口枠Ｗに取り付けられたＬＣＤパネル３と向き合わせて（上記図１参照）、ＬＣＤ５が配置されている。その状態において、内部フレーム４に上部筐体２ａが取り付けられることで、ＬＣＤパネル３の縁端３ａが、上部筐体２ａの内側と内部フレーム４とで挟装される。
【００３０】
内部フレーム４には、「コ」の字状に突出した一対の衝撃受止部６，７が、間を離して設けられている。内部フレーム４と一対の衝撃受止部６，７は、一体成型されている。
【００３１】
さらに、内部フレーム４には、リブ状に突出した反り抑制部８が、一対の衝撃受止部６，７の間で、その一対の衝撃受止部６，７から離して設けられている。図３では、反り抑制部８は、「Ｌ」の字状に突出した２個のリブ８ａ，８ｂで構成されている。内部フレーム４と反り抑制部８は、一体成型されている。
【００３２】
内部フレーム４の材料は、ポリスチレンである。従って、一対の衝撃受止部６，７及び反り抑制部８が一体成型された内部フレーム４は、曲げ撓める性質がある。
【００３３】
［３．本発明の剛性フレーム］
本実施形態に係る携帯型テープ印字装置１は、図４に表されたように、内部フレーム４に対して回路基板９や剛性フレーム１０等がねじ固定されている。
【００３４】
さらに、剛性フレーム１０には、カッターユニット１１やテープ印字ユニット１２等が設けられている。
【００３５】
カッターユニット１１の位置については、内部フレーム４に一体成型された反り抑制部８（２個のリブ８ａ，８ｂ）や上部筐体２ａに対する相対的な位置関係からわかるように、ＬＣＤパネル３（上記図１参照）と向き合わせた状態で離隔された場所にある。
【００３６】
つまり、内部フレーム４は、ＬＣＤパネル３（上記図１参照）とカッターユニット１１との間に備え付けられている。従って、内部フレーム４に一体成型された一対の衝撃受止部６，７（上記図３参照）及び反り抑制部８（２個のリブ８ａ，８ｂ）は、カッターユニット１１に向けて内部フレーム４から突き出している。
【００３７】
また、カッターユニット１１は、図５に表されたように、カッターフレーム１１ａや、カッターモータ１１ｂ、カッター刃１１ｃ等を備えており、他の部品と比べて、目方が重い。
【００３８】
さらに、テープ印字ユニット１２には、サーマルヘッドが固定された支持板１２ａや、ローラホルダー１２ｂ、印字用テープカセットの巻取軸１２ｃ等が備えられている。
【００３９】
［４．本発明の落下対策］
ここでは、本実施形態に係る携帯型テープ印字装置１について、図６や図７に表されたように、ＬＣＤパネル３を取り付けた上部筐体２ａが下となって落ちるケースを想定する。このようなケースでは、床などに上部筐体２ａが突き当たると、カッターユニット１１（上記図４、上記図５参照）が重量物のため、内部フレーム４の面上に沿って、カッターフレーム１１ａ等はＬＣＤパネル３がある下に向かって慣性移動する。
【００４０】
そして、カッターフレーム１１ａ等の慣性移動は、内部フレーム４に一体成型された一対の衝撃受止部６，７に止められる。
【００４１】
このとき、内部フレーム４は、図６の２点鎖線に表されたように、一対の衝撃受止部６，７を支点として、上に向かって反ろうとする。さらに、上部筐体２ａがオーバル形（卵形）のため、床などに上部筐体２ａが突き当たった際の衝撃力が集中し、上部筐体２ａの変形（上方向への反り）が大きくなる。この変形（上方向への反り）の大きさは、内部フレーム４の上方向への反りに影響する。
【００４２】
しかしながら、内部フレーム４の上方向への反りは、図７に表されたように、内部フレーム４に一体成型された反り抑制部８（リブ８ａ，８ｂ）の位置や数に応じてコントロールされる。
【００４３】
このコントロールによって、上に向かって反ろうとした内部フレーム４と上部筐体２ａによって、ＬＣＤパネル３が破損することがない。
【００４４】
尚、内部フレーム４に一体成型された反り抑制部８（リブ８ａ，８ｂ）は、内部フレーム４の反りをコントロールする機能が失わなければ、カッターフレーム１１ａ等の慣性移動を止めてもよい。もっとも、下に向かった慣性移動を一対の衝撃受止部６，７に止められたカッターフレーム１１ａが反り抑制部８（リブ８ａ，８ｂ）に触れることがなければ、内部フレーム４に一体成型された反り抑制部８（リブ８ａ，８ｂ）は、カッターフレーム１１ａ等の慣性移動を止める作用を果たさなくても良い。
【００４５】
［５．まとめ］
すなわち、本実施形態に係る携帯型テープ印字装置１では、ＬＣＤパネル３に対向したカッターユニット１１が上部筐体２ａに内設されている。また、ＬＣＤパネル３とカッターユニット１１の間に内部フレーム４が介装され、内部フレーム４がＬＣＤパネル３の縁端３ａを上部筐体２ａの内側と挟んだ状態で上部筐体２ａ内に固設されている。また、カッターユニット１１に向けて衝撃受止部６，７と反り抑制部８（リブ８ａ，８ｂ）とが内部フレーム４から突き出して設けられている。
【００４６】
さらに、本実施形態に係る携帯型テープ印字装置１を誤って落下させてしまっても、カッターユニット１１による衝撃を衝撃受止部６，７が受け止める。同時に、カッターユニット１１による衝撃を衝撃受止部６，７が受け止めた際の内部フレーム４の反りの抑制を反り抑制部８（リブ８ａ，８ｂ）が行う。従って、内部フレーム４の反りが抑制されることから、内部フレーム４と上部筐体２ａの内側とに挟まれた状態のＬＣＤパネル３の縁端３ａが壊れたり傷ついたりすることがない。つまり、上部筐体２ａと一体化したＬＣＤパネル３が上部筐体２ａ内のカッターユニット１１による衝撃で破損することを防止することができる。
【００４７】
この点、本実施形態に係る携帯型テープ印字装置１では、衝撃受止部６，７及び反り抑制部８（リブ８ａ，８ｂ）が内部フレーム４に一体成型されている。これにより、省スペース化のため限られた上部筐体２ａ内の空間において、効率良く衝撃を吸収する衝撃受止部６，７や内部フレーム４の反りを抑制する反り抑制部８（リブ８ａ，８ｂ）を配置することができる。
【００４８】
従って、上部筐体２ａのデッドスペースのみを利用してＬＣＤパネル３の割れを防止することができる。また、耐衝撃用の部品追加は行われないため、コストの増加を抑えることができる。
【００４９】
［６．その他］
尚、本発明は上記実施形態に限定されるものでなく、その趣旨を逸脱しない範囲で様々な変更が可能である。
例えば、衝撃受止部６，７が内部フレーム４から突き出した高さは、上に向かって反った内部フレーム４や上部筐体２ａによってＬＣＤパネル３が割れることがなければ、異なっていてもよい。この点は、反り抑制部８（リブ８ａ，８ｂ）についても同様である。
【００５０】
また、本発明は、ＬＣＤパネル３の割れを防止するだけでなく、ＬＣＤ５の割れをも防止することができる。
【００５１】
また、内部フレーム４に一体成型された衝撃受止部６，７及び反り抑制部８（リブ８ａ，８ｂ）の位置や数には制限はない。ひいては、衝撃受止部６，７及び反り抑制部８（リブ８ａ，８ｂ）を連なりとし、一つの突部として、内部フレーム４に一体成型させてもよい。
【００５２】
さらに、カッターユニット１１に代えて内装基板を「重量物」とした場合でも、本発明を適用することは可能である。
【符号の説明】
【００５３】
１    携帯型テープ印字装置
２    筐体
２ａ  上部筐体
３    ＬＣＤパネル（脆性部）
３ａ  ＬＣＤパネルの縁端
４    内部フレーム（可撓部）
６    衝撃受止部（第一突部）
７    衝撃受止部（第一突部）
８    反り抑制部（第二突部）
８ａ  リブ
８ｂ  リブ
１０    剛性フレーム
１１    カッターユニット（重量部）
１１ａ  カッターフレーム
１１ｂ  カッターモータ
１１ｃ  カッター刃
Ｗ    開口枠
【図１】
2015107609.tif 000003
【図２】
2015107609.tif 000004
【図３】
2015107609.tif 000005
【図４】
2015107609.tif 000006
【図５】
2015107609.tif 000007
【図６】
2015107609.tif 000008
【図７】
2015107609.tif 000009